(57)【要約】【課題】返信装置を備えていないチャイルドシートであっても、チャイルドシートの装着状態を検知することができるチャイルドシートの検知装置を提供する。【解決手段】シートクッション３とチャイルドシート６との間に台座部材５を設け、シートクッション３に第１電磁波を発信する発信機能と、第１電磁波の返信波である第２電磁波を受信する受信機能とを兼ね備える第１アンテナ１０及び第２アンテナ１１を設ける一方、台座部材５に第１電磁波を受信するとともに、第２電磁波を返信する第１レゾネ−タ２０及び第２レゾネ−タ２１とを設け、第１アンテナ１０及び第２アンテナ１１が第２電磁波を受信することでチャイルドシート５が検知される。【選択図】  図１
2004268869.tif 000002
【特許請求の範囲】
【請求項１】
シートクッション上に装着されるチャイルドシートの装着状態を検知するチャイルドシート検知装置において、
上記シートクッションと上記チャイルドシートとの間に上記チャイルドシートを載置可能な台座部材を設け、
上記シートクッションに第１電磁波を発信する発信手段と、上記第１電磁波の返信波である第２電磁波を受信する受信手段とを設ける一方、
上記台座部材に上記第１電磁波を受信するとともに、第２電磁波を返信する返信手段を設け、
上記受信手段が上記第２電磁波を受信することで上記チャイルドシートの装着状態を検知することを特徴とするチャイルドシート検知装置。
【請求項２】
上記台座部材の上面部が弾性体で構成されることを特徴とする請求項１に記載のチャイルドシート検知装置。
【請求項３】
上記返信手段は、上記台座部材の上面との間に、上記第１電磁波の受信及び上記第２電磁波の送受信が可能な距離をもって配設されることを特徴とする請求項１または２に記載のチャイルドシート検知装置。
【請求項４】
上記返信手段は、レゾネ−タであることを特徴とする請求項１乃至３のいずれか１つに記載のチャイルドシート検知装置。
【請求項５】
上記台座部材は、樹脂材で構成されることを特徴とする請求項１乃至４のいずれか１つに記載のチャイルドシート検知装置。
【発明の詳細な説明】
【０００１】
【発明の属する技術分野】
本発明は、車両のチャイルドシートの検知装置に関する。詳しくは、チャイルドシートを載置する台座に関する。
【０００２】
【従来の技術】
従来、チャイルドシートの検知装置において、下記特許文献１に示されるように、座席に第１電磁波を放出する放出アンテナと、この第１電磁波の返信波である第２電磁波を受信する受信アンテナとが設けられる一方、チャイルドシートにこの第１電磁波を受信するとともに第２電磁波を返信する返信装置が設けられ、座席にチャイルドシートが装着された場合に、これら第１電磁波及び第２電磁波の送受信が可能となるように設定され、受信アンテナが第２電磁波を受信することでチャイルドシートの装着状態を検知するものが知られている。
そして、チャイルドシートが装着されていることが検知された場合には、エアバックの展開を禁止する等が行われている。
【０００３】
しかしながら、チャイルドシートが返信装置を備えていない場合、もちろんのことチャイルドシートの装着状態を検知することができない。
【０００４】
【特許文献１】
特開２０００−１９８４１１号公報
【０００５】
【発明が解決しようとする課題】
そこで、本発明は以上のような問題に着目してなされたもので、その課題は、返信装置を備えていないチャイルドシートであっても、チャイルドシートの装着状態を検知することができるチャイルドシートの検知装置を提供することにある。
【０００６】
【課題を解決するための手段】
上述の課題を達成するため、本発明にあっては次のような構成としてある。
本願の請求項１に係わる発明は、シートクッション上に装着されるチャイルドシートの装着状態を検知するチャイルドシート検知装置において、
上記シートクッションと上記チャイルドシートとの間に上記チャイルドシートを載置可能な台座部材を設け、
上記シートクッションに第１電磁波を発信する発信手段と、上記第１電磁波の返信波である第２電磁波を受信する受信手段とを設ける一方、
上記台座部材に上記第１電磁波を受信するとともに、第２電磁波を返信する返信手段を設け、
上記受信手段が上記第２電磁波を受信することで上記チャイルドシートの装着状態を検知する構成としたものである。
【０００７】
上記構成によれば、チャイルドシートとは別体の台座部材を設け、その台座部材に設けられる返信手段によって、発信手段から発信される第１電磁波を受信するとともに、第２電磁波を返信し、この第２電磁波を受信手段が受信することができるので、返信手段を備えていないチャイルドシートであっても、チャイルドシートの装着状態を検知することができる。
【０００８】
本願の請求項２に係わる発明は、上記台座部材の上面部が弾性体で構成されるようにしたものである。
【０００９】
チャイルドシートに返信装置を後付けする場合、発信手段及び受信手段の近傍となるチャイルドシートの底面に取り付けることが考えられる。
ところが、一般的に、返信装置は平面形状とされているため、平面形状の底面を有する一般的なチャイルドシートに対しては、安定して取り付けることが可能であるものの、０歳児用のチャイルドシート等の底面が円形状（図４参照）等非平面形状の底面を有するチャイルドシートに対しては、平面形状の返信装置を安定して取り付けることは困難である。
【００１０】
上記構成によれば、台座部材の上面部の弾性体がチャイルドシートの底面の形状に対応するように変形されるので、底面が非平面形状に構成されたチャイルドシートを安定して載置することができる。
【００１１】
本願の請求項３に係わる発明は、上記返信手段は、上記台座部材の上面との間に、上記第１電磁波の受信及び上記第２電磁波の送受信が可能な距離をもって配設される構成としたものである。
【００１２】
チャイルドシートが金属等の電磁波を遮断する部材を備えている場合、この電磁波を遮断する部材近傍に返信装置が配設されると、第１電磁波及び第２電磁波が、その電磁波を遮断する部材によって遮断され、第１電磁波及び第２電磁波の送受信可能範囲が狭くなり、この送受信が正常に行われず、チャイルドシートの装着状態の検知ができない虞がある。
【００１３】
しかしながら、上記構成によれば、チャイルドシートが金属等の電磁波を遮断する部材を備えていても、返信手段が、台座部材の上面との間に上記第１電磁波の受信及び上記第２電磁波の送受信可能な距離をもって配設されるため、第１電磁波及び第２電磁波の送受信が正常に行われ、確実にチャイルドシートの装着状態を検知することができる。
【００１４】
本願の請求項４に係わる発明は、上記返信手段は、レゾネ−タである構成としたものである。
【００１５】
上記構成によれば、簡単な構成で、第１電磁波を受信するとともに、第２電磁波を返信するようにすることができる。
【００１６】
本願の請求項５に係わる発明は、上記台座部材は、樹脂材で構成されたものである。
【００１７】
上記構成によれば、台座部材は、電磁波を遮断しない樹脂材で構成されているため、安定して電磁波の送受信が行うことができ、また、台座部材を安価でかつ軽量に作ることができる。
【００１８】
【発明の効果】
返信装置を備えていないチャイルドシートであっても、チャイルドシートの装着状態を検知することができる効果がある。
【００１９】
【発明の実施の形態】
以下、図面を参照しながら、本発明の実施形態を説明する。
図１は、本発明の実施形態に係わるチャイルドシート検知装置を示す側面概略図、図２は、本発明の実施形態に係わるチャイルドシート検知装置を示す正面概略図である。
図１、２に示すように、シート１は、シートバック２とシートクッション３とを有しており、このシートクッション３の上面には、台座部材５が配設され、この台座部材５の上面には、さらにチャイルドシート６が配設されている。つまり、台座部材５は、チャイルドシート６とシートクッション３との間に挟まれるように配設されている。
【００２０】
このチャイルドシート６は、例えば、約１〜７歳児用のチャイルドシートであって、シートバック部６ａとシートクッション部６ｂとが一体的に形成され、チャイルドシート用シートベルト７が備えられている。
シートクッション部６ｂには、シートベルト８が挿通する挿通口６ｃが形成されており、シートベルト８のタングがこの挿通口６ｃに挿通された後バックル９に係入されることで、チャイルドシート６がシートクッション３上に固定される。尚、台座部材５は、チャイルドシート６とシートクッション３とに挟まれて固定されている。
【００２１】
シートクッション３の内部には、第１アンテナ１０及び第２アンテナ１１が配設されており、これらは、コントロールユニット１２に電気的に接続されている。このコントロールユニット１２は、内部に図示しない発信回路を有しており、一定時間間隔をおいて電流を発生するとともに、この電流によって、第１アンテナ１０及び第２アンテナ１１から第１電磁波が発信される。
【００２２】
一方、台座部材５の内部には、これら第１アンテナ１０及び第２アンテナ１１に対向する位置に夫々第１レゾネ−タ２０及び第２レゾネ−タ２１が配設され、第１レゾネ−タ２０及び第２レゾネ−タ２１は、後述するように、この第１電磁波が受信されるとともに第２電磁波が発信されるように構成されている。
【００２３】
図３は、本発明の実施形態に係わる台座部材の構造を示す概略図である。
図３（ａ）は、台座部材の平面概略図を示し、図３（ｂ）は、台座部材の側面概略図を示し、図３（ｃ）は、台座部材の正面概略図を示す。ここで、図３を用いて台座部材５の構造を詳述する。
台座部材５は、上部に凹部５ａが形成される略箱形状の箱体５ｂと、この凹部５ａ内に設けられるクッションパット５ｃとを備えており、箱体５ｂは、樹脂材によって形成され、例えば、クッションパット５ｃは、チャイルドシート６の底面の形状に応じて変形するウレタンによって形成されている。
尚、この箱体５ｂとクッションパッド５ａには、図示しない表皮布で覆われており、見栄えの良いものとなっている。
【００２４】
箱体５ｂの底面部に、略楕円形状の第１レゾネ−タ２０及び第２レゾネ−タ２１が車幅方向に並んで２つ配設されており、第１レゾネ−タ２０及び第２レゾネ−タ２１は、箱体５ｂ上面との間に所定の距離（約５〜１０ｃｍ）の距離をもって配設されている。
【００２５】
ところで、チャイルドシート６が金属等の電磁波を遮断する部材を備えている場合、この電磁波を遮断する部材と第１レゾネ−タ２０及び第２レゾネ−タ２１とが近接して配設されると、第１レゾネ−タ２０及び第２レゾネ−タ２１に送受信される第１電磁波及び第２電磁波が、その電磁波を遮断する部材によって遮断され、第１電磁波及び第２電磁波の送受信可能範囲が狭くなり、第１レゾネ−タ２０及び第２レゾネ−タ２１の送受信が正常に行われない虞がある。
【００２６】
そこで、第１レゾネ−タ２０及び第２レゾネ−タ２１は、電磁波を遮断する部材が第１レゾネ−タ２０及び第２レゾネ−タ２１にもっとも近づく可能性のある台座部材５の上面と、第１レゾネ−タ２０及び第２レゾネ−タ２１との間に、第１電磁波及び第２電磁波が送受信可能となるように上記所定の距離が設定されている。
【００２７】
この第１レゾネ−タ２０及び第２レゾネ−タ２１は、図示しないコイル及びコンデンサが形成されて発振器とされたものであって、同時にコイルが導体アンテナとして機能するものである。このため、第１電磁波を導体アンテナで受信すると、第１電磁波からエネルギーが供給されて発振器として機能し電流を発生し、この電流は固有の共振周波数を有する第２電磁波として導体アンテナから発信される。尚、第１レゾネ−タ２０及び第２レゾネ−タ２１に形成された回路のパターンを変更することにより共振周波数を変更することができる。
【００２８】
第１アンテナ１０及び第２アンテナ１１は、第１レゾネ−タ２０及び第２レゾネ−タ２１から発信された第２電磁波を受信する機能も備えており、第１アンテナ１０及び第２アンテナ１１によって第２電磁波が受信され、コントロールユニット１２に受信信号が入力される。これにより、シートクッション３上にチャイルドシート６が配設されていることが検知される。尚、シートクッション３上にチャイルドシート６及び台座部材５が配設されていない場合には、第１アンテナ１０及び第２アンテナ１１から発信された第１電磁波を受信できる範囲に、第１レゾネ−タ２０及び第２レゾネ−タ２１がないため、第２電磁波が返信されず、第２電磁波が第１アンテナ１０及び第２アンテナ１１に受信されることがない。また、第１アンテナ１０及び第２アンテナ１１は、発信機能及び受信機能を兼ね備えたものであるが、これらを発信機能のみ備えたアンテナと受信機能のみ備えたアンテナとによって構成してもよい。
【００２９】
また、コントロールユニット１２に、第１レゾネ−タ２０及び第２レゾネ−タ２１からの夫々の第２電磁波をその周波数の大きさにより識別する識別器を内蔵し、識別された第１レゾネ−タ２０及び第２レゾネ−タ２１の夫々の第２電磁波に基づきチャイルドシート６の設置方向を識別することができる。
【００３０】
図４は、０歳児用のチャイルドシートを装着した場合を示した側面概略図である。
図４に示すように、０歳児用のチャイルドシート６０は、その底面の形状が円形形状とされているものの、そのチャイルドシート６０の載置に伴い、台座部材５の上部を形成するクッションパット５ｃがその形状に合わせて変形するため、チャイルドシート６０を安定して台座部材５上に載置することができる。
【００３１】
次に、作用を説明する。
台座部材５に設けられる第１レゾネ−タ２０及び第２レゾネ−タ２１によって、第１アンテナ１０及び第２アンテナ１１から発信される第１電磁波を受信するとともに、第２電磁波を返信し、この第２電磁波を受信手段として機能する第１アンテナ１０及び第２アンテナ１１が受信することができるので、返信装置を備えていないチャイルドシート６であっても、チャイルドシート６を検知することができる。
【００３２】
チャイルドシート６の底面形状が丸みを帯びている形状であっても、台座部材５の上面部のクッションパット５ｃが丸みを帯びている形状に対応するように変形されるので、不特定のチャイルドシート６を安定して載置することができる。
【００３３】
チャイルドシート６が金属等の電磁波を遮断する部材を備えていても、第１レゾネ−タ２０及び第２レゾネ−タ２１が、台座部材５の上面との間に第１電磁波及び第２電磁波の送受信可能な距離をもって配設されるため、第１電磁波及び第２電磁波の送受信が正常に行われ、確実にチャイルドシート６の装着状態を検知することができる。
【００３４】
台座部材５は、電磁波を遮断しない樹脂材で構成されているため、安定して第１電磁波及び第２電磁波の送受信が行うことができ、また、台座部材５を安価でかつ軽量に作ることができる。
【図面の簡単な説明】
【図１】本発明の実施形態に係わるチャイルドシート検知装置を示す側面概略図。
【図２】本発明の実施形態に係わるチャイルドシート検知装置を示す正面概略図。
【図３】本発明の実施形態に係わる台座部材の構造を示す概略図。
【図４】０歳児用のチャイルドシートを装着する場合の側面概略図。
【符号の説明】
１．シート
２．シートバック
３．シートクッション
５．台座部材
５ａ．凹部
５ｂ．箱体
５ｃ．クッションパット
６．チャイルドシート
６ａ．シートバック部
６ｂ．シートクッション部
６ｃ．挿通口
７．チャイルドシート用シートベルト
８．シートベルト
９．バックル
１０．第１アンテナ
１１．第２アンテナ
１２．コントロールユニット
２０．第１レゾネ−タ
２１．第２レゾネ−タ
６０．０歳児用チャイルドシート
【図１】
2004268869.tif 000003
【図２】
2004268869.tif 000004
【図３】
2004268869.tif 000005
【図４】
2004268869.tif 000006